(57)【特許請求の範囲】
【請求項１】
流体を流動させるためのトンネルの最大円形開き断面より多少小さい断面を有する管をトンネル内に導入して前記管と前記トンネルの壁との間に空隙を形成し、前記管を連続的にまたは特定の箇所でトンネル壁の一部分に取り付け、前記管内に前記流体を流動させた状態で、前記管内に、前記管の外側の圧力に比べて超過圧力を発生させる手段を導入することを特徴とする、非覆工トンネルまたは起伏のある壁表面および／または不規則断面を有する他のトンネルの摩擦損失を低下する方法。
【請求項２】
前記管の材料が、平滑な表面を有する可撓性の合成ファブリックであることを特徴とする、請求項１に記載の方法。
【請求項３】
前記管が、剛性の管からなることを特徴とする、請求項１に記載の方法。
【請求項４】
前記超過圧力を得るため、前記トンネルの前記管の入口端の上流に永久隘路を導入し、流速が前記隘路から徐々に低下し、運動エネルギーの一部が圧力エネルギーに変換されるように、前記隘路における前記管の断面を前記隘路の下流の前記管の断面まで徐々に増加し、前記隘路は圧力の変動による動的張力を回避するような寸法にし、前記隘路に開口を設けて限定量の水を前記隘路の内側から前記管の外側に流出させることを特徴とする、請求項２に記載の方法。
【請求項５】
正常運転中に前記流体の流量が前記管の外側で維持されるように、前記管の上流の隘路に相当する隘路を前記管の下流にも導入することを特徴とする、請求項４に記載の方法。
【請求項６】
前記管を、取付ユニットによって前記トンネルの壁の上部分に固定されたレールにほぼ連続的に取り付けることを特徴とする、請求項１に記載の方法。
【請求項７】
前記管上の取付ユニットは、組立中および分解中に前記レールに沿って移動可能であるが、それらは別個の位置にまたは前記レールに沿って永久的または一時的に固締することができることを特徴とする、請求項６に記載の方法。
【発明の詳細な説明】
【０００１】
（背景）
水力発電所用のトンネルは、水の位置エネルギーが電気エネルギーに変換されるように、水を貯水池から発電所の入口まで輸送するために使用される。水がトンネル内を流れるときに、摩擦によって誘発されるエネルギー損失が常に発生する。位置エネルギーの一部が失われるので、得られるエネルギーは理論的に獲得可能なエネルギーより少ない。社会は大きくかつ絶え間なく増加するエネルギー消費を有し、新しい発電所の不断の必要およびその結果生じる環境破壊につながる。従って、エネルギー損失を最小限にすることができれば、これは環境および社会にとって意味のある利点を有することが明らかである。
例えばノルウェーの多数のトンネルは素掘りされているだけで、特に軟弱な地帯のコンクリート強化を除いては、コンクリートの覆工または類似物は無い。水がそのようなトンネルの非常に起伏のあるトンネル壁面近くを流れるとき、摩擦損失は、それがより平滑な表面に従っている場合よりずっと大きい。
【０００２】
比較的小さい断面積を有するより古いトンネルは、より新しいトンネルに比べてより大きい水頭損失を有する。理由は、これらの古いトンネルが今日の状況と比較して旧弊の基準（より高い金融利息、より高い建設費、およびより低い電力の価値）に従って寸法を決定されたからであろう。
さらに、状況によっては、例えば発電所の最大放出量を増加することによって、および／またはより多くの水を発電所に輸送することによって、トンネル内の水の流量を増加することが望まれ、それは不釣合いに大きい水頭損失を招く。
新しいトンネルを建設するときに、充分に大きい断面積を有し、最大可能に平滑な表面を有するように穿孔または掘削することによって、水頭損失は低下される。さらに、損失はときどき、トンネルのソールをアスファルトまたは類似物で平滑化することによって低下される。しかし、これらの方法には技術的および経済的な限界があり、その結果大部分のトンネルで依然として著しい水頭損失が生じる。発電所のために著しい流量増加が必要になった場合、既存のものと平行に新しいトンネルを作るか、または既存のものを拡張することが今まではそのような要求の実際的な解決法であった。これらの解決法はどちらも著しい建設費を伴う。
【０００３】
（目的）
本発明の目的は、水が非覆工トンネルまたは起伏のある壁を有する他のトンネル内を流れるときに生じる摩擦損失を低下することである。さらなる目的は、経済的であり、据付が容易であり、かつ必要な保守が最小限で済む手段により、これを達成することである。従って、本発明は、不必要な高価な新しい水力発電所の建設が回避されるように、既存の発電所をその最大限の理論的性能近くまで改良するのに貢献できる方法を構成する。
【０００４】
（発明）
これらの目的は、独立特許請求項１によって定義される方法によって達成される。発明の好ましい実施形態は、従属請求項によって定義される。
以下において、全て本発明の枠内に入る様々な実施形態について述べる。
好ましい実施形態によると、管の全長を、関連トンネル用に特別製造された１つの一体的円筒形ユニットとして、可撓性材料から予め製作することができる。これは、様々な部品の接合／組立が回避されるという明らかな利点をもたらす。考えられる不利益は、管の重量が過剰になるかもしれないことである。オイルフェンス(oil booms)に使用されるもののように、延性の好ましくは強化ファブリックを利用することができる。
大きい寸法および重い重量に関係する問題に関連して、場合によっては、適切な長さの部品に分けて予め製作された可撓性ファブリックの部品から管を組み立てることが好ましいかもしれない。部品は円筒形に予め形作ることができ、それらを溶接など適切な手段によって１つずつ接合して適切な長さにする。代替的に、部品は矩形にすることができ、その場合、１つまたはそれ以上の矩形の部品を最初に円筒形ユニットに接合（溶接）することができ、その後、結果的に得られた円筒形ユニットを相互に取り付ける。
【０００５】
寸法は、超過圧力の方法によって完成した管がその意図するほぼ円筒形の形状を得たときに、管がトンネルの規則的（円筒形の）部分をほぼ全体的に充填するように選択される。管とトンネル壁との間に多少の空隙があることは明らかであり、形状および寸法の変化は起伏のあるトンネル壁面の変化によって異なる。さらに詳細に説明する好ましい実施形態によって、この空隙はまた、全ての正常運転状態中に管が拡張された（円筒形の）状態に維持されるように同時に管内の適切な超過圧力を維持しながら、限定量の水を輸送するためにも利用される。
正常運転中の管に対する張力は著しく、管をトンネル壁に特定の間隔でまたは連続的に取り付けることによって、管がトンネルの長手方向に変位するのを防止する必要がある。しかし、管内の（超過）圧力は常に外側の圧力より高いので、圧力の変動による張力は回避される。
以下で、添付の図面を参照しながら本発明をさらに詳しく説明する。
【０００６】
図１は、本発明がワンピースの円筒形の可撓性ファブリック１の形で組み立てられているトンネルの縦断面図を示す。ファブリック１は取付ユニット２によって、ファブリックの周囲を直線に沿って等間隔に、トンネルの「天井」つまりトンネルの断面５の最高位置またはその近くに沿って中心に伸長するレール（バー）３に取り付けられる。その部分のレール３は、ボルト４または同様の取付手段によってトンネル壁６に取り付けられる。
この取付構成による特定の利点は、トンネル内で持ち上げるなどのために大きな力を必要とすることなく、ファブリック１（または管）上のその取付機構２がトンネルの開口でレール上に押し込まれ、そこからトンネル内の正しい位置まで案内されるので、レール３がファブリックの重量の大部分を組立の最初から支持することである。
【０００７】
図２は、図１と同じトンネルをトンネルの断面図で示す。すでに指摘した通り、この種の取付機構は、管がより剛性の管要素で形成される場合でも使用することができるので、図２の管１は、可撓性または剛性のどちらの管をも象徴することができる。
ファブリックまたは管が正しく位置付けられているとき、それがトンネルの長手方向に最小限にのみ動くことができるように、それをトンネル壁に対して固定することができる。詳細図２ｂは、取付ユニット２およびレール３の好ましい実施形態を示し、ここで取付ユニット２は、レール３のより下部分に沿って走るように構成された少なくとも１つのホイール８のみならず、取付ユニット２の第１垂直フランジにある穴に押し通し、その後レール３の穴に押し通して、最終的に取付ユニット２の第２垂直フランジにあるねじ穴内にねじ込むことができるように構成された錠ピン９またはボルトをも含む。このようにして、取付ユニット２は、一旦配置され錠ピンが固定されると、レールに沿って移動することができなくなる。
言うまでもなく、管を充分に堅固に保持するために必要な場合には、２つ以上のレールを利用することが可能である。図３に示すように、周囲に沿って等間隔になるようにトンネルの断面図で見て相互に１２０°離して配置された３つのレールが利用されている。これは、一旦管が最終的に固定されると、特にしっかりした取付を達成する。一方、それは追加の取付機構を設けるために多数の追加作業を必要とし、この作業はそれが必要な場合にだけ行われる。また、トンネルの頂線に沿って１本のレールを使用し、他の取付位置２’には他のより柔軟または適応性に富む取付構成を使用することも可能である。従って取付機構３’はレールとすることができるが、必ずしもトンネルの天井に沿った取付ユニット２のように均等にまたは一緒に近接して配置される必要がない、取付ストラップまたは類似物を使用することもできる。
【０００８】
ファブリックまたは管上の取付ユニット２は、必要な張力を保持することができる任意の種類のものとすることができる。しかし、必要とされる強度に関連して、ファブリックまたは管と一体的に形成された取付耳を使用することが好ましい。
たとえ上述のレールは、それが提供する便利な据付手順のため、管をトンネル壁に固定する特に便利な方法を構成しても、本発明は、取付機構についての特定の構成法に限定されない。剛性ボルトおよび可撓性ストラップまたはそのような手段の組合せを含め、どのような既知の取付手段も本発明の範囲内に該当するとみなされるものとする。これによって、たとえこれがしばしば最も便利であるとしても、取付箇所を一線上に配置することも必須ではないことを理解されたい。
可撓性ファブリックの使用は、組立に関連して多くの利点をもたらすことを理解されたい。輸送のために必要とされる小さい空間に加えて、その他にトンネル壁と管との間の空間が小さい場合にはファブリックを容易に片側に曲げることができるので、例えば取付に関連して、ファブリックとトンネル壁との間に作業員のための空間が常にある。
別の態様は、トンネルが主として規則的な円筒形からかけ離れた特定の異常な不規則形状を有する場合、トンネル内の単一の狭い箇所のために管全体を細く必要が無いように、剛性のものより可撓性の管で特別な解決法を適応させる方がより容易である。
【０００９】
別の状況では、図４に示すように一般的に剛性の管構造を形成するために集められたより剛性の管要素から成る管を利用することが有利であるかもしれない。その利点は、組み立てられた構造がいっそう動きにくくなり、トンネル壁への取付箇所が少なくて済み、空になった場合につぶれないことである。一方、それはすでに述べた可撓性の管の特定の利点には欠ける。剛性の管はトンネル壁に固定することが必要であり、これは主として可撓性の管の場合と同様に達成される。
剛性管要素は、図４ａに示すように円筒形要素１’の形を有することができるが、円筒壁の一部だけ、例えば半分から成る要素を使用することがしばしばより実際的である。（図４ｂ参照）。これは、輸送に必要とされる空間のため、および要素をトンネル内に運び込み、それらを限定された空間の下で正しい位置に組み立てて、固定することに関連する問題のためである。円筒壁の一部分だけを構成するシートの場合、さらに様々な実施形態がある。そのような要素は、非常に限定された程度にだけ形状を変えることができる非常に剛性な構造の湾曲板の形を取るか、または少なくとも一方向に曲げることができ、拘束されない形では平坦な矩形の形状を取る超薄壁シートの形を取ることができる。一旦、この後者のカテゴリのシートを所望の円筒形に屈曲し、両側を隣接するシートと組み合わせると、それは剛性壁構造の一部となるので、その移動の自由度が非常に制約される。
トンネルにおけるそのような管の使用に関連する一般的問題は、特に可撓性ファブリックで作られている場合、時々管内に圧力サージが発生することである。管は、つぶれること無く、そのようなサージに耐えることができなければならない。以下で、この問題を処理するいくつかの方法を述べ、それらは全て、外側の圧力と比較して管内に特定の超過圧力を形成し維持する共通の特徴を共有している。
【００１０】
そのような超過圧力を得るための最も好ましい方法を図５ａに示し、それは、管１の入口間近の上流に、例えば金属またはコンクリートで形成された永久隘路１０を形成することを含み、それは管のすぐ上流で再び、隘路後に最小限の乱流で流れが起こることを確実にする平滑で均等な円錐部１２によって、管の断面形に拡張される。さらに、隘路の壁を貫通する開口１３は、特定の量の水をその内側からその外側に通過させ、そこから管の外側に沿ってトンネル壁と管との間に流れさせる。しかし、主要な量の水は隘路１０を通過して管１の中を流れ、この流れの速度は管内より隘路の方が高くなる。
水が最も狭い断面部を通り隘路の円錐形の部分１２を通過するときに、速度は多少低下し、これはその運動エネルギーの一部が圧力エネルギーに変換されることを意味し、これは再び、管内の圧力が外側より多少高いことを意味する。狭隘の程度は、この圧力がどのくらい高くなるかを決定する。この構成は、各々の関係事例における要求に関連して適応させることができる。タービンを調節するときに発生するかもしれない変動のため、両方向の流れが得られるように超過圧力を維持できることが便利または必要であることに注意されたい。さらに、超過圧力は、タービンが空転するときの速度（通常速度の約２倍）までの様々な水の流速のための超過圧力が得られるはずである。水の逆流中に超過圧力を維持することができるためには、管の下流に、上流のもの１２と同様の隘路１１を使用することができる。管の外側の水の速度は、水頭損失が内側と外側で等しくなるように自動的に適応される。実際的には、これは、速度が管の内側より外側の方がずっと遅くなることを意味するが、外側の空間は少なくとも全流量に対し特定の寄与をする。
しかし、本発明に従って必要な管内の超過圧力を提供する他の方法がある。１つの代替例は、管の上流および下流にポンプ１４を配置することであり（図５ｂ参照）、それらは両方とも管内に揚水することを目的とし（破線は揚水の方向を示す）、それは管の下流のポンプが一般流動方向とは逆流する方向に揚水することを意味する。この構成は、ポンプ間に局所的な超過圧力を提供する。この解決法の不利な点は、それが機械的な可動部品に依存し、それは作動するためにエネルギー供給を必要とすることである。
【００１１】
さらなる代替実施形態を図５ｃに示す。これは、管の入口および出口端に小さいチューブ１５を配置することから成る。チューブ１５の各々の一端は管１の壁を通って一般的に垂直方向に導かれ、管１に回転可能に軸支される。水流を逆転する能力が必要ない場合には、チューブを回転可能に軸支する必要はない。チューブは断面が、本発明による管１より実質的に小さい。チューブは、その自由端が主として管１内の流動方向と平行になるように、ほぼ９０°曲げられる。水流がチューブに加える力のため、それらは流動方向を向くように調節される。チューブのすぐ下流に、相対的過少圧力があり、これはチューブ１５を通して管の外側に運ばれる。
局所的超過圧力を提供する最も洗練された信頼できる方法は、図５ａに関連して述べた隘路から成る。この実施形態のいくつかの変形を、状況に応じて導入することができる。最初に述べた代替例では、管の外側に微小な水流を許容しなければならないことを示唆した。長いトンネルの場合、トンネル内の異なる領域で超過圧力を制御するために、都合のよいように間隔をおいて配置された２つ以上の隘路を適用することが望ましいかもしれない。限定された長さの管内で超過圧力を維持することが必要な場合には、１つだけの隘路を使用することができる。この代替例では、管の外側には流れが無い。水流が常に一方向である場合、管の外側の空隙は、図５ｄに示すように小管コンジット１６によってさらに下流の低圧地点に接続することができるので、管の内部で相対的超過圧力が得られる。（図５ｄで、流れの方向が右から左であることに注意されたい）。
管材が剛性板または可撓性ファブリックのどちらで構成されるかにかかわらず、管の表面、および特に内側を向いた側面は、できる限り平滑かつ無摩擦でなければならない。これは主として、材料の選択およびトンネル内で組み立てる前と同様の材料の表面処理の問題である。それはまた、例えばカビ等の成長を防止するための特定の方法による材料の処理にも関連する。しかし、これは本発明の核心に関連する二次的な考慮事項であり、その核心は、非常に一貫した均等な形状を持ち、好ましくはほぼ円周断面を持つ管形の本体をトンネル内に配置することである。たとえ断面は常にトンネル自体の断面より多少小さくても、摩擦損失の減少により多くのエネルギーが節約される。
【００１２】
（実施例）
以下で、計算例をあげて、本発明の方法によって達成される節約の大きさを示す。この実施例は、毎秒１５０ｍ3の水を輸送する５０ｍ2のトンネルをベースとする。この実施例は、本発明の利用によって約３／４の摩擦損失が回避できることを示す。実施例がまた示すように、トンネルの大きさが当初決められたときのものに比べて流量を増加する必要がある場合、節約はより大きくなる。水の流量が毎秒１００ｍ3の場合、節約はトンネル１ｋｍ当たり２．７Ｇｗｈとなるが、一方毎秒１２０ｍ3では、節約はトンネル１ｋｍ当たり４．７Ｇｗｈとなる。（１Ｇｗｈは、ノルウェーにおける通常の一戸建家屋で約４０戸分の年間エネルギー消費量に相当する）。
0004544750.tif 000002
【図面の簡単な説明】
【図１】  本発明に従って円筒形ファブリックの取付／組立をどのように行うことができるかを示すトンネルの縦断面図である。
【図２】  ａは図１で示したトンネルの断面図、ｂは本発明の好ましい実施形態による管を固定するための詳細図である。
【図３】  トンネルの「天井線」に沿ったものに追加の固定箇所を加えた、図２ａの代替実施形態を示す断面図である。
【図４】  ａ及びｂは管が一般的に剛管構成に組み立てられた、より剛性のセクションから形成される代替実施形態を示す断面図である。
【図５】  ａは管１内の超過圧力に寄与するために、管のすぐ上流およびすぐ下流でトンネルの断面を多少狭くした、本発明の好ましい実施形態の縦断面図、ｂ〜ｄは管１内の超過圧力を維持するための様々な方法を示す縦断面図である。
【符号の説明】
１  円筒形の可撓性ファブリック（ファブリック、管）、１’円筒形要素、２  取付ユニット、２’取付位置、３  レール（バー）、３’取付機構、４  ボルト、５  トンネルの断面、６  トンネル壁、８  ホイール、９  錠ピン、１０  永久隘路（隘路）、１１  隘路、１２  円錐部（円錐形の部分）、１３  開口、１４  ポンプ、１５  チューブ、１６  小管コンジット。
【図１】
0004544750.tif 000003
【図２】
0004544750.tif 000004
【図３】
0004544750.tif 000005
【図４】
0004544750.tif 000006
【図５】
0004544750.tif 000007
0004544750.tif 000008